(57)【特許請求の範囲】
【請求項１】
直交利得及び位相誤差を補正する誤差補正機能を有した直交信号出力回路において、
第１及び第２の差動回路と、
第１〜第４の可変抵抗器とを備え、
前記第１の可変抵抗器は、前記第１の差動回路の正出力と、前記第２の差動回路の正出力に接続され、
前記第２の可変抵抗器は、前記第１の差動回路の正出力と、前記第２の差動回路の負出力に接続され、
前記第３の可変抵抗器は、前記第１の差動回路の負出力と、前記第２の差動回路の正出力に接続され、
前記第４の可変抵抗器は、前記第１の差動回路の負出力と、前記第２の差動回路の負出力に接続されることを特徴とする直交信号出力回路。
【請求項２】
さらに、
前記第１の差動回路の正出力と基準電圧との間に第５の可変抵抗器と、
前記第１の差動回路の負出力と基準電圧との間に第６の可変抵抗器と備えることを特徴とする請求項１記載の直交信号出力回路。    
【請求項３】
さらに、
前記第２の差動回路の正出力と基準電圧との間に第７の可変抵抗器と、
前記第２の差動回路の負出力と基準電圧との間に第８の可変抵抗器とを備えることを特徴とする請求項２記載の直交信号出力回路。  
【請求項４】
前記第１及び第２の差動回路は、それぞれ、負荷が抵抗で構成された第１及び第２のミキサ回路であり、
前記第１及び第２のミキサ回路のそれぞれに入力される主信号は同じ信号であり、前記第１及び第２のミキサ回路には第１及び第２のローカル信号がそれぞれ入力されることを特徴とする請求項１〜３のいずれか一に記載の直交信号出力回路。
【請求項５】
さらに、第３〜第６のミキサ回路を備え、
前記第３及び第４のミキサ回路は、前記第１の差動回路の出力を主信号としてそれぞれ入力し、各々に入力されるローカル信号は直交し、
前記第５及び第６のミキサ回路は、前記第２の差動回路の出力を主信号としてそれぞれ入力し、各々に入力されるローカル信号は直交し、
前記第３及び第５のミキサ回路のそれぞれの出力を加算または減算して第１の出力とし、
前記第４及び第６のミキサ回路のそれぞれの出力を減算または加算して第２の出力とすることを特徴とする請求項４記載の直交信号出力回路。
【請求項６】
さらに、
第１及び第２の直交信号出力回路と、
第３〜第６のミキサ回路とを備え、
前記第１及び第２の直交信号出力回路は、それぞれ、前記第１及び第２の差動回路と、前記第１〜第４の可変抵抗器と、前記第５〜第８の可変抵抗器とを備え、
前記第３のミキサ回路は、前記第１の直交信号出力回路の前記第１の差動回路の出力を主信号として入力し、
前記第４のミキサ回路は、前記第２の直交信号出力回路の前記第１の差動回路の出力を主信号として入力し、
前記第５のミキサ回路は、前記第１の直交信号出力回路の前記第２の差動回路の出力を主信号として入力し、
前記第６のミキサ回路は、前記第２の直交信号出力回路の前記第２の差動回路の出力を主信号として入力し、
前記第３及び第４のミキサ回路にそれぞれ入力されるローカル信号は直交し、前記第５及び第６のミキサ回路にそれぞれ入力されるローカル信号は直交し、
前記第３及び第５のミキサ回路の出力をそれぞれ加算または減算して第１の出力とし、
前記第２及び第４のミキサ回路の出力をそれぞれ減算または加算して第２の出力することを特徴とする請求項４記載の直交信号出力回路。
【請求項７】
直交利得及び位相誤差を補正する誤差補正機能を有した直交信号出力回路において、
第１及び第２の増幅又は減衰器と
第１及び第２の差動回路と、
第１〜第４の可変抵抗器とを備え、
前記第１の可変抵抗器は、前記第１の増幅又は減衰器の正出力と前記第２の増幅又は減衰器の正出力とに接続され、
前記第２の可変抵抗器は、前記第１の増幅又は減衰器の正出力と前記第２の増幅又は減衰器の負出力とに接続され、
前記第３の可変抵抗器は、前記第１の増幅又は減衰器の負出力と前記第２の増幅又は減衰器の正出力とに接続され、
前記第４の可変抵抗器は、前記第１の増幅又は減衰器の負出力と前記第２の増幅又は減衰器の負出力とに接続され、
前記第１の差動回路には前記第１の増幅又は減衰器の正出力と負出力とが入力され、前記第２の差動回路には前記第２の増幅又は減衰器の正出力と負出力とが入力されることを特徴とする直交信号出力回路。
【請求項８】
直交した第１及び第２の出力信号を出力する直交信号出力回路において、
第１及び第２のミキサ回路と、
可変抵抗器とを備え、
前記第１のミキサ回路には入力主信号と第１のローカル信号が入力され、前記第２のミキサ回路には前記入力主信号と第２のローカル信号が入力され、
前記可変抵抗器は、前記第１のミキサ回路の出力と前記第２のミキサ回路の出力との間に接続され、
前記第１及び第２のミキサ回路の出力から前記第１及び第２の出力信号がそれぞれ出力され、
前記可変抵抗器の抵抗は前記第１の出力信号と前記第２の出力信号の位相差が９０°となるように調整されることを特徴とする直交信号出力回路。
【請求項９】
直交した第１及び第２の出力信号を出力する直交信号出力回路において、
第１及び第２の入力主信号をそれぞれ増幅又は減衰する第１及び第２の増幅又は減衰器と、
可変抵抗器と、
第１及び第２のミキサ回路とを備え、
前記可変抵抗器は、前記第１の増幅又は減衰器と前記第２の増幅又は減衰器との間に接続され、
前記第１のミキサ回路は、前記第１の増幅又は前記減衰器の出力信号と第１のローカル信号とを入力して前記第１の出力信号を出力し、
前記第２のミキサ回路は、前記第２の増幅又は前記減衰器の出力信号と第２のローカル信号とを入力して前記第２の出力信号を出力し、
前記可変抵抗器の抵抗は、前記第１の出力信号と前記第２の出力信号との位相差が９０°となるように調整されることを特徴とする直交信号出力回路。
【発明の詳細な説明】
【技術分野】
【０００１】
本発明は、直交信号出力回路に関する。
【背景技術】
【０００２】
携帯電話等の受信装置には、一般に直交ダウンミキサ（直交復調器）が使用される。直交ダウンミキサは、２つのミキサ回路を有し、それぞれにローカル信号を与え、高周波の受信信号を低周波の信号（Ｉ信号、Ｑ信号）に変換し出力する。
【０００３】
また、直交ダウンミキサにより一旦中間周波数信号に変換後、低周波数の２つの信号を出力するイメージ除去型受信装置（ヘテロダイン方式）もある。
【０００４】
このような直交ダウンミキサ等では、出力される２つの信号の位相が９０°ずれている必要があり、そのために直交ダウンミキサのミキサ回路に与える２つのローカル信号の位相が精度良く９０°ずれている必要がある。
【０００５】
しかし、各ミキサ回路に与えるローカル信号は周波数が高いため、精度良く９０°位相をずらすことが困難である。
そのため、従来では位相誤差を補正するようにしたイメージ除去型受信器や直交変調器がある（例えば、以下の特許文献１，２）。
【特許文献１】特許第３３９８９１０号公報
【特許文献２】特開２００２−２３２４９７号公報
【発明の開示】
【発明が解決しようとする課題】
【０００６】
しかし、特許第３３９８９１０号公報に開示されたイメージ除去型受信器は、一方のミキサに与える、周波数の高いローカル信号を調整しているため、ローカル信号の位相差を９０°ずらすには精度がよくない。また、位相を調整するための回路は高周波のローカル信号を取り扱うため、受信器全体の消費電力が大きい。さらに、制御回路と複数の位相調整回路が設けられているため、受信器の回路面積も大きくなる。
【０００７】
また、特開２００２−２３２４９７号公報に開示された直交変調器は、低周波数の２つの信号（Ｉ信号、Ｑ信号）に対しアナログ演算処理しているため、能動素子を使用しており、直交変調器全体の回路面積も大きく、消費電力も大きい。また、アナログ演算は高周波で実行することが難しいため、原理的に直交信号が低周波である直交変調器には適用できる技術ではあるものの、直交信号が高周波数である受信機に使用することができない。
【０００８】
そこで、本発明の一目的は、精度よく直交誤差を補正するようにした直交信号出力回路を提供することにある。
【０００９】
また、本発明の他の目的は、消費電力が小さく、回路面積も小さい直交信号出力回路を提供することにある。
【課題を解決するための手段】
【００１０】
上記目的を達成するために、本発明の一実施態様によれば、直交利得及び位相誤差を補正する誤差補正機能を有した直交信号出力回路において、第１及び第２の差動回路と、第１〜第４の可変抵抗器とを備え、前記第１の可変抵抗器は、前記第１の差動回路の正出力と、前記第２の差動回路の正出力に接続され、前記第２の可変抵抗器は、前記第１の差動回路の正出力と、前記第２の差動回路の負出力に接続され、前記第３の可変抵抗器は、前記第１の差動回路の負出力と、前記第２の差動回路の正出力に接続され、前記第４の可変抵抗器は、前記第１の差動回路の負出力と、前記第２の差動回路の負出力に接続される。
【発明の効果】
【００１１】
本発明によれば、精度よく直交誤差を補正するようにした直交信号出力回路を提供できる。また、本発明によれば、消費電力が小さく、回路面積も小さい直交信号出力回路を提供できる。
【発明を実施するための最良の形態】
【００１２】
以下、図面を参照して本発明を実施するための最良の形態を説明する。
【００１３】
＜実施例１＞
まず、第１の実施例を説明する。図１（Ａ）は直交ダウンミキサ（直交復調器）１０、同図（Ｂ）〜（Ｄ）は可変抵抗器１６〜１８の各構成例を示す図である。
【００１４】
同図（Ａ）に示すように、直交ダウンミキサ１０は２つのミキサ回路１２，１４と、３つの可変抵抗器１６〜１８を備える。
【００１５】
ミキサ回路１２，１４は、それぞれ高周波の受信信号（ＲＦ信号）が入力され、それぞれに入力されるローカル信号（ＬＯＩ，ＬＯＱ）により、低周波の出力信号（Ｉ信号（ＶＯＩ＋，ＶＯＩ−）、Ｑ信号（ＶＯＱ＋，ＶＯＱ−））を出力する。
【００１６】
可変抵抗器１６は、一端が基準電圧（Ｖｒｅｆ、または電源若しくはグランド）、他端がミキサ回路１２の出力（ＶＯＩ＋，ＶＯＩ−）と接続される。すなわち、可変抵抗器１６は、ミキサ回路１２の正出力（ＶＯＩ＋）及びミキサ回路１２の負出力（ＶＯＩ−）と、基準電圧（Ｖｒｅｆ）との間に接続される。可変抵抗器１６は、ミキサ回路１２から出力される出力（ＶＯＩ＋，ＶＯＩ−）の利得を調整するための抵抗器である。
【００１７】
可変抵抗器１７は、一端がミキサ回路１２の出力（ＶＯＩ＋，ＶＯＩ−）、他端がミキサ回路１４の出力（ＶＯＱ＋，ＶＯＱ−）と接続される。すなわち、可変抵抗器１７は、ミキサ回路１２の正及び負出力（ＶＯＩ＋，ＶＯＩ−）と、ミキサ回路１４の正及び負出力（ＶＯＱ＋，ＶＯＱ−）との間に接続される。可変抵抗器１７は、２つのミキサ回路１２，１４からそれぞれ出力される出力信号（ＶＯＩ，ＶＯＱ）の位相差を調整するための抵抗器である。
【００１８】
可変抵抗器１８は、一端が基準電圧（Ｖｒｅｆ）、他端がミキサ回路１４の出力（ＶＯＱ）と接続される。すなわち、可変抵抗器１８は、基準電圧と、ミキサ回路１４の正及び負出力（ＶＯＱ＋，ＶＯＩ−）との間に接続される。可変抵抗器１８は、ミキサ回路１４から出力される出力（ＶＯＱ＋，ＶＯＱ−）の利得を調整するための抵抗器である。
【００１９】
ここで、もし、２つのミキサ回路１２，１４の利得誤差がなければ、２つの可変抵抗器１６，１８は両方ともなくてもよい（図１０（Ａ））。
【００２０】
予め、２つのミキサ回路１２，１４の利得の大小関係がわかっていれば、２つの可変抵抗器１６，１８は、どちらか一方だけでよい（図１０（Ｂ））。
【００２１】
次に、直交ダウンミキサ１０により、ローカル信号（ＬＯＩ，ＬＯＱ）の位相差が９０°からずれても（位相誤差があっても）、出力信号（ＶＯＩ，ＶＯＱ）の位相差が９０°に調整される点について説明する。
【００２２】
図２は直交ダウンミキサ１０の他の構成例を示す図である。例えば、入力ＲＦ信号として、
【００２３】
【数１】
0005104561.tif 000002
【００２４】
が入力され、ローカル信号（ＬＯＩ，ＬＯＱ）として、それぞれ
【００２５】
【数２】
0005104561.tif 000003
【００２６】
【数３】
0005104561.tif 000004
【００２７】
が２つのミキサ回路１２，１４に入力される場合を考える。ここで、φは変調されたデータ信号に関係のある位相であり、θは２つのローカル信号の位相誤差を示す。
【００２８】
このとき、２つのミキサ回路１２，１４の出力は、それぞれ
【００２９】
【数４】
0005104561.tif 000005
【００３０】
【数５】
0005104561.tif 000006
【００３１】
となる。２つの出力は、数４及び数５に示されるように、ローカル信号（ＬＯＩ，ＬＯＱ）の位相誤差θの影響を受けている。
【００３２】
ここで、行例Ｍを以下で示される式にして、２つの出力をこの行列Ｍに通過させると、理想的な出力信号（ＶＯＩ，ＶＯＱ）が出力される。この出力信号はそれぞれ、ｃｏｓφとｓｉｎφで表され、位相誤差θの影響がなくなっている。
【００３３】
【数６】
0005104561.tif 000007
【００３４】
この数６で示される行列Ｍを２つのミキサ回路１２，１４の後段に挿入させる。これにより、数式的にはローカル信号（ＬＯＩ，ＬＯＱ）の位相誤差θを除去でき、精度よく９０°ずれた２つの出力信号（ＶＯＩ，ＶＯＱ）を得る。すなわち、行列Ｍの形状を有する回路をミキサ回路１２，１４の後段に挿入させればよい。
【００３５】
図３（Ａ）はかかる回路が挿入された直交誤差補正回路（位相及び利得調整回路、又は直交誤差補正装置）１００、同図（Ｂ）はその等価回路１０１の各構成例を示す図である。
【００３６】
直交誤差補正回路１００は、抵抗負荷増幅器１１０，１３０と、３つの可変抵抗器１６〜１８を備える。
【００３７】
抵抗負荷増幅器１１０，１３０は、それぞれ入力信号（ＶＩＩ，ＶＩＱ）が入力され、出力信号（ＶＯＩ，ＶＯＱ）を出力する。
【００３８】
可変抵抗器１６は、一端は基準電圧（Ｖｒｅｆ）、他端は抵抗負荷増幅器１１０の出力（ＶＯＩ）と接続される。
【００３９】
可変抵抗器１７は、２つの抵抗負荷増幅器１１０，１３０の出力（ＶＯＩ，ＶＯＱ）間に接続される。
【００４０】
可変抵抗器１８は、一端は抵抗負荷増幅器１３０の出力（ＶＯＱ）、他端は基準電圧（Ｖｒｅｆ）と接続される。
【００４１】
図３（Ｂ）の等価回路１０１において、可変抵抗器１６，１７，１８がそれぞれ抵抗Ｒｇｉ，Ｚ，Ｒｇｑに対応する。このとき、入力（ＶＩＩ，ＶＩＱ）から出力（ＶＯＩ，ＶＯＱ）までの伝達関数は、
【００４２】
【数７】
0005104561.tif 000008
【００４３】
で表される。ここで、数７のＡは定数であり、他の変数や定数は以下で示される。
【００４４】
【数８】
0005104561.tif 000009
【００４５】
この数７で示された式は、理想的な出力を得る行列Ｍを示す数６と同形状である。よって、図３（Ａ）に示す直交誤差補正回路１００は、可変抵抗器１７の抵抗を調整することで、位相誤差のない出力信号（ＶＯＩ，ＶＯＱ）を得ることができる。
【００４６】
図４（Ａ）は、直交誤差補正回路１００を含む直交ダウンミキサ１０の構成例である。図１（Ａ）の直交ダウンミキサ１０と同一である。また、図４（Ａ）に示す直交ダウンミキサ１０は、図３の直交誤差補正回路１００において抵抗負荷増幅器１１０，１３０をミキサ回路１２，１４とした例である。
【００４７】
また、図４（Ｂ）は同図（Ａ）に示す直交ダウンミキサ１０の等価回路の例を示す図である。同図（Ｂ）に示す等価回路１１において、入力（Ｉｉ，Ｉｑ）から出力（ＶＯＩ，ＶＯＱ）までの伝達関数は、
【００４８】
【数９】
0005104561.tif 000010
【００４９】
となる。数９も理想的な出力を得る数６と同形状である。従って、可変抵抗器１７の抵抗Ｚを変化させることで出力信号（ＶＯＩ，ＶＯＱ）の位相を調整し、位相誤差のない出力信号（ＶＯＩ，ＶＯＱ）を得ることができる。すなわち、図１（Ａ）において、直交ダウンミキサ１０の可変抵抗器１７の抵抗Ｚを調整することで、出力信号（ＶＯＩ＋〜ＶＯＱ−）の位相誤差θをなくすようにすることができる。この可変抵抗器１７の詳細について以下説明する。
【００５０】
図１（Ｂ）は可変抵抗器１７の構成例を示す図である。可変抵抗器１７は４つの可変抵抗１７１〜１７４を備える。
【００５１】
可変抵抗１７１は、ミキサ回路１２の正出力（ＶＯＩ＋）と、ミキサ回路１４の正出力（ＶＯＱ＋）との間に接続される。
【００５２】
可変抵抗１７２は、ミキサ回路１２の正出力（ＶＯＩ＋）と、ミキサ回路１４の負出力（ＶＯＱ−）との間に接続される。
【００５３】
可変抵抗１７３は、ミキサ回路１２の負出力（ＶＯＩ−）と、ミキサ回路１４の負出力（ＶＯＱ−）との間に接続される。
【００５４】
可変抵抗１７４は、ミキサ回路１２の負出力（ＶＯＩ−）と、ミキサ回路１４の正出力（ＶＯＱ＋）との間に接続される。
【００５５】
これら４つの可変抵抗１７１〜１７４の抵抗値を図１（Ｂ）に示すようにＲｐ、Ｒｍとすると、可変抵抗器１７のインピーダンスＺは、以下となる。
【００５６】
【数１０】
0005104561.tif 000011
【００５７】
インピーダンスＺは、Ｒｐ＞Ｒｍのとき正の値、Ｒｐ＜Ｒｍのとき負の値となり、数１０は正〜負に調整可能である。すなわち、可変抵抗器１７全体の抵抗Ｚは、出力信号（ＶＯＩ，ＶＯＱ）の位相誤差θが正でも負でも、位相誤差θの値が「０」となるように調整可能である。
【００５８】
図１（Ｃ）は、可変抵抗器１６，１８の構成例を示す図である。各可変抵抗器１６，１８内には２つの可変抵抗１６１，１６８を有し、上述した接続関係を有する。
【００５９】
図１（Ｄ）は、可変抵抗（１７１，１７２，１７３，１７４，１６１，１６２）の他の構成例を示す図である。可変抵抗器１７は複数の抵抗１７‐００〜１７‐ｎ０と、トランジスタ１７‐０１〜１７‐ｎ１とを備えるようにしてもよい。
【００６０】
図５は、直交ダウンミキサ１０の回路構成例を示す図である。ミキサ回路１２，１４は、各々２つの差動対１２１〜１２２，１３１〜１３２を備え、一方の差動対１２１，１３１が抵抗１１０‐１〜１１０‐２，１３０‐１〜１３０‐２に夫々接続され、他方の差動対１２２，１３２から出力（ＶＯＩ＋〜ＶＯＱ−）を得る。なお、ミキサ回路１２，１４は抵抗負荷のダブルバランスミキサである。抵抗１１０‐１〜１１０‐２，３０‐１〜１３０‐２は、可変抵抗器１７とにより、出力信号の位相調整に用いることができる。図５に示す直交ダウンミキサ１０の可変抵抗１６〜１８の接続関係は図１（Ａ）の直交ダウンミキサ１０と同一である。
【００６１】
次に、直交ダウンミキサ１０において、可変抵抗器１６〜１８の抵抗値を変えたときのシミュレーション結果について説明する。
【００６２】
図６（Ａ）はシミュレーション対象の回路構成例（図１等の直交ダウンミキサ１０を含むイメージ除去受信装置の一例）、同図（Ｂ）及び同図（Ｃ）はシミュレーション結果の例を示す図である。
【００６３】
本シミュレーションでは、図６（Ａ）に示すように、可変抵抗器１６〜１８にそれぞれデジタルコードを入力し、抵抗値を可変にしている。
【００６４】
同図（Ｂ）は、可変抵抗器１６〜１８に入力されるデジタルコード（可変抵抗コード）に対して、中間周波数信号（ＩＦ１，ＩＦ２）の位相差がそれだけ変化したかを示すグラフである。この図から明らかなように、可変抵抗器１６〜１８の抵抗値を変化させることで、位相差が−１２０度〜−９０度（理想値）〜−６０度まで精度よく調整できる。
【００６５】
同図（Ｃ）は可変抵抗コードと、イメージ除去比（不要周波数成分の除去率）との関係を示すグラフである。位相差が−９０度となる抵抗コードで、最も除去比が大きくなっていることが理解できる。
【００６６】
本実施例１は、直交誤差補正回路１００（図３）を直交ダウンミキサ１０（図１等）に適用した例である。すなわち、本実施例１は、直交誤差補正回路１００の抵抗負荷増幅器１１０，１３０をミキサ回路１２，１４とした例である。
【００６７】
このように本直交ダウンミキサ１０は、ミキサ回路１２，１４の出力側に可変抵抗器１６〜１８を接続し、周波数の低いミキサ回路１２，１４の出力側で、ローカル信号の位相誤差による出力信号の位相誤差を調整している。よって、高周波のローカル信号で調整する場合と比較して、精度よく位相誤差を補正できる。
【００６８】
また、直交ダウンミキサ１０は可変抵抗器１６〜１８を追加しているだけであり、種々の能動素子を追加する従来と比較して、面積増加と消費電力を小さくできる。さらに、可変抵抗器１７は、抵抗とスイッチとして動作するトランジスタで構成できるため、高速動作も可能となる。
【００６９】
＜実施例２＞
次に実施例２を説明する。本実施例２は、直交誤差補正回路１００（図３（Ａ））を直交アップミキサ（直交変調器）に適用した例である。
【００７０】
図７は直交アップミキサ２０の構成例を示す。直交アップミキサ２０は、増幅／減衰器２２，２４と、可変抵抗器１６〜１８と、ミキサ回路３１，３２とを備える。増幅／減衰器２２，２４と、可変抵抗器１６〜１８で直交誤差補正回路１００が構成される。本実施例２は、直交誤差補正回路１００の抵抗負荷増幅器１１０，１３０を増幅／減衰器２２，２４とした例である。
【００７１】
増幅／減衰器２２，２４は、各々入力された信号（ＶＩＩ，ＶＩＱ）を増幅または減衰し出力する。
【００７２】
可変抵抗器１６は、出力信号（ＶＯＩ＋，ＶＯＩ−）の利得調整用の抵抗であり、基準電圧（Ｖｒｅｆ、電源またはグランド）と、増幅／減衰器２２の出力（ＶＯＩ＋，ＶＯＩ−）との間に接続される。
【００７３】
可変抵抗器１７は、出力信号（ＶＯＩ，ＶＯＱ）の位相誤差調整用の抵抗であり、２つの増幅／減衰器２２，２４の出力（ＶＯＩ＋〜ＶＯＱ−）の間に接続される。可変抵抗器１７の構成は図１（Ｂ）に示す。すなわち、可変抵抗器１７は４つの可変抵抗１７１〜１７４を備える。
【００７４】
可変抵抗１７１は、増幅／減衰器２２の正出力（ＶＯＩ＋）と、増幅／減衰器２４の正出力（ＶＯＱ＋）との間に接続される。
【００７５】
可変抵抗１７２は、増幅／減衰器２２の正出力（ＶＯＩ＋）と、増幅／減衰器２４の負出力（ＶＯＱ−）との間に接続される。
【００７６】
可変抵抗１７３は、増幅／減衰器２２の負出力（ＶＯＩ−）と、増幅／減衰器２４の負出力（ＶＯＱ−）との間に接続される。
【００７７】
可変抵抗１７４は、増幅／減衰器２２の負出力（ＶＯＩ−）と、増幅／減衰器２４の正出力（ＶＯＱ＋）との間に接続される。可変抵抗器１７のインピーダンスＺは、数１０となる。
【００７８】
可変抵抗器１８は、出力信号（ＶＯＱ＋，ＶＯＱ−）の利得調整用の抵抗であり、増幅／減衰器２４の出力（ＶＯＱ＋，ＶＯＱ−）と基準電圧（Ｖｒｅｆ）との間に接続される。
【００７９】
２つのミキサ回路３１，３２は、それぞれ増幅／減衰器２２，２４の出力信号（ＶＯＩ＋〜ＶＯＱ−）が入力され、各ローカル信号（ＬＯＩ，ＬＯＱ）により高周波の信号に変換して出力する。
【００８０】
このように、本直交アップミキサ２０は、直交誤差補正装置１００により、出力信号（ＶＯＩ＋，ＶＩＯ−，ＶＯＱ＋，ＶＯＱ−）の位相誤差θをミキサ回路３１，３２の入力側、すなわち、周波数の低い側で調整しているため周波数の高い側で調整するよりもその精度はよい。また、実施例１と同様に、可変抵抗器１６〜１８を追加しているだけであり、従来と比較して面積増加及び消費電力は小さい。さらに、可変抵抗器１７を実施例１と同様に抵抗とトランジスタにより構成することで高速処理も可能となる。
【００８１】
＜実施例３＞
次に実施例３を説明する。実施例３は、直交誤差補正回路１００をイメージ除去型受信装置２００に適用した例である。
【００８２】
図８はイメージ除去型受信装置２００の構成例を示す図である。イメージ除去型受信装置２００は、直交ダウンミキサ１０と、２つの直交復調器４０，５０と、加算器４３と、減算器５３とを備える。
【００８３】
直交ダウンミキサ１０は、実施例１と同様に直交誤差補正回路１００が適用され、２つのミキサ回路１２，１４と３つの可変抵抗器１６〜１８を備える。その接続関係は、実施例１の直交ダウンミキサ１０と同様である。
【００８４】
直交復調器４０，５０は、各々、ミキサ回路４１〜４２，５１〜５２を備える。ミキサ回路４１，４２は、直交ダウンミキサ１０のミキサ回路１２の出力と接続され、それぞれローカル信号（ＬＯＢＩ，ＬＯＢＱ）により、低周波の信号に変換して出力する。
【００８５】
また、ミキサ回路５１，５２は、ミキサ回路１４の出力と接続され、それぞれローカル信号（ＬＯＢＱ，ＬＯＢＩ）により、低周波の信号に変換して出力する。
【００８６】
加算器４３は、２つのミキサ回路４１，５１の出力信号を加算し、信号（ＢＢＩ）を出力する。
【００８７】
減算器５３は、２つのミキサ回路４２，５２の出力信号を減算し、信号（ＢＢＱ）を出力する。
【００８８】
直交ダウンミキサ１０の出力信号の位相差が９０°からずれると、図６（Ｃ）で示したように、イメージ除去比が悪化する。本実施例３は、直交ダウンミキサ１０の２つの出力信号（中間周波数信号）の位相差を可変抵抗器１７によって９０°となるように（位相誤差がなくなるように）調整することで、イメージ除去比を最適値に調整できる。また、実施例１と同様に、直交ダウンミキサ１０のミキサ回路１２，１４の出力側で、直交ダウンミキサ１０の出力信号の位相誤差を調整するため、ミキサ回路１２，１４の入力側で調整する場合と比較して、周波数が低いため誤差の調整精度がよい。また、追加した回路は可変抵抗器１６〜１８のみなので、面積増加及び消費電力は従来と比較して小さくなる。
【００８９】
＜実施例４＞
次に実施例４を説明する。実施例４はイメージ除去型受信装置２００の他の実施例である。図９はイメージ除去型受信装置２００の構成例を示す図である。
【００９０】
イメージ除去装置２００は、２つの直交ダウンミキサ１０‐１，１０‐２と、直交復調器６０とを備える。
【００９１】
各直交ダウンミキサ１０‐１，１０‐２は、実施例１と同様に、それぞれ２つのミキサ回路１２‐１，１４‐１，１２‐２，１４‐２と、３つの可変抵抗器１６‐１〜１８‐１，１６‐２〜１８‐２とを備える。各直交ダウンミキサ１０‐１，１０‐２は実施例１の直交ダウンミキサ１０と同様である。
【００９２】
直交復調器６０は、４つのミキサ回路６１〜６４と、加算器６５と、減算器６６とを備える。
【００９３】
ミキサ回路６１は、直交ダウンミキサ１０‐１の一方の出力（ＶＯ１Ｉ）と接続され、ローカル信号（ＬＯＢＩ）により中間周波数の信号（ＶＯＩ）を低周波の信号に変換する。
【００９４】
ミキサ回路６２は、直交ダウンミキサ１０‐２の一方の出力（ＶＯ２Ｉ）と接続され、ローカル信号（ＬＯＢＱ）により中間周波数の信号（ＶＯ２Ｉ）を低周波の信号に変換する。
【００９５】
ミキサ回路６３は、直交ダウンミキサ１０‐１の他方の出力（ＶＯ１Ｑ）と接続され、ローカル信号（ＬＯＢＱ）により中間周波数の信号（ＶＯ１Ｑ）を低周波の信号に変換する。
【００９６】
ミキサ回路６４は、直交ダウンミキサ１０‐２の他方の出力（ＶＯ２Ｑ）と接続され、ローカル信号（ＬＯＢＩ）により中間周波数の信号（ＶＯ２Ｑ）を低周波の信号に変換する。
【００９７】
加算器６５は、２つのミキサ回路６１，６３からの出力信号を加算して、信号（ＢＢＩ）を出力する。
【００９８】
減算器６６は、２つのミキサ回路６２，６４からの出力信号を減算して、信号（ＢＢＱ）を出力する。
【００９９】
本イメージ除去受信装置２００において、図９に示すように、一方の出力信号（ＢＢＩ）の位相差は直交ダウンミキサ１０‐１により調整可能であり、他方の出力信号（ＢＢＱ）の位相差は直交ダウンミキサ１０‐２により調整可能である。このように、出力信号（ＢＢＩ，ＢＢＱ）に対して独立に位相差の調整を行うことができるため、不要周波数成分の除去とともに、さらに直交復調器６０のローカル信号（ＬＯＢＩ，ＬＯＢＱ）の位相誤差による出力信号（ＢＢＩ，ＢＢＱ）の位相誤差も調整できる。
【０１００】
このように、上述した実施例１〜４において、直交誤差補正回路１００を有する直交ミキサ１０，２０において、２つのミキサ１２，１４の直交した出力の間に可変抵抗１７を接続し、可変抵抗値を調整することで直交位相誤差を調整する。さらに、それぞれのミキサ１２，１４の出力と基準電圧（電源および接地を含む）との間に可変抵抗器１６，１８を接続し、可変抵抗値を調整することで直交利得誤差を調整する。
【０１０１】
さらに、この直交誤差補正装置１００を有した直交ミキサ１０をイメージ除去型受信機２００に適用することで、イメージ抑圧比の補正を行うことができる。
【０１０２】
ここで、実施例１〜４では、直交ミキサ１０，２０やイメージ除去型受信機２００について記載したが、これに限定したものではなく、出力信号の直交誤差を補正する回路（直交信号出力回路）に広く適用できる。
【０１０３】
以上まとめると付記のようになる。
【０１０４】
（付記１）
直交利得及び位相誤差を補正する誤差補正機能を有した直交信号出力回路において、
第１及び第２の差動回路と、
第１〜第４の可変抵抗器とを備え、
前記第１の可変抵抗器は、前記第１の差動回路の正出力と、前記第２の差動回路の正出力に接続され、
前記第２の可変抵抗器は、前記第１の差動回路の正出力と、前記第２の差動回路の負出力に接続され、
前記第３の可変抵抗器は、前記第１の差動回路の負出力と、前記第２の差動回路の正出力に接続され、
前記第４の可変抵抗器は、前記第１の差動回路の負出力と、前記第２の差動回路の負出力に接続されることを特徴とする直交信号出力回路。
【０１０５】
（付記２）
さらに、
前記第１の差動回路の正出力と基準電圧との間に第５の可変抵抗器と、
前記第１の差動回路の負出力と基準電圧との間に第６の可変抵抗器と備えることを特徴とする付記１記載の直交信号出力回路。
【０１０６】
（付記３）
さらに、
前記第２の差動回路の正出力と基準電圧との間に第７の可変抵抗器と、
前記第２の差動回路の負出力と基準電圧との間に第８の可変抵抗器とを備えることを特徴とする付記２記載の直交信号出力回路。
【０１０７】
（付記４）
前記第１及び第２の差動回路は、それぞれ、負荷が抵抗で構成された第１及び第２のミキサ回路であり、
前記第１及び第２のミキサ回路のそれぞれに入力される主信号は同じ信号であり、前記第１及び第２のミキサ回路のそれぞれに入力されるローカル信号は直交することを特徴とする請求項１に記載の直交信号出力回路。
【０１０８】
（付記５）
さらに、第３〜第６のミキサ回路を備え、
前記第３及び第４のミキサ回路は、前記第１の差動回路の出力を主信号としてそれぞれ入力し、各々に入力されるローカル信号は直交し、
前記第５及び第６のミキサ回路は、前記第２の差動回路の出力を主信号としてそれぞれ入力し、各々に入力されるローカル信号は直交し、
前記第３及び第５のミキサ回路のそれぞれの出力を加算または減算して第１の出力とし、
前記第４及び第６のミキサ回路のそれぞれの出力を減算または加算して第２の出力とすることを特徴とする付記４記載の直交信号出力回路。
【０１０９】
（付記６）
さらに、
第１及び第２の直交信号出力回路と、
第３〜第６のミキサ回路とを備え、
前記第１及び第２の直交信号出力回路は、それぞれ、前記第１及び第２の差動回路と、前記第１〜第４の可変抵抗器と、前記第５〜第８の可変抵抗器とを備え、
前記第３のミキサ回路は、前記第１の直交信号出力回路の前記第１の差動回路の出力を主信号として入力し、
前記第４のミキサ回路は、前記第２の直交信号出力回路の前記第１の差動回路の出力を主信号として入力し、
前記第５のミキサ回路は、前記第１の直交信号出力回路の前記第２の差動回路の出力を主信号として入力し、
前記第６のミキサ回路は、前記第２の直交信号出力回路の前記第２の差動回路の出力を主信号として入力し、
前記第３及び第４のミキサ回路にそれぞれ入力されるローカル信号は直交し、前記第５及び第６のミキサ回路にそれぞれ入力されるローカル信号は直交し、
前記第３及び第５のミキサ回路の出力をそれぞれ加算または減算して第１の出力とし、
前記第２及び第４のミキサ回路の出力をそれぞれ減算または加算して第２の出力することを特徴とする付記４記載の直交信号出力回路。
【０１１０】
（付記７）
さらに、
第７及び第８のミキサ回路を備え、
前記第７のミキサ回路は、前記第１の差動回路の出力を主信号として入力し、
前記第８のミキサ回路は、前記第２の差動回路の出力を主信号として入力し、
前記第７及び第８のミキサ回路にそれぞれ入力されるローカル信号は直交し、
前記第７及び第８のミキサ回路の出力をそれぞれ加算または減算して出力することを特徴とする請求項１に記載の直交信号出力回路。
【図面の簡単な説明】
【０１１１】
【図１】図１（Ａ）は直交ダウンミキサ、同図（Ｂ）〜同図（Ｄ）は可変抵抗器の各構成例を示す図である。
【図２】図２は直交ダウンミキサの他の構成例を示す図である。
【図３】図３（Ａ）は誤差補正回路、同図（Ｂ）はその等化回路の各構成例を示す図である。
【図４】図４（Ａ）は直交ダウンミキサ、同図（Ｂ）はその等化回路の各構成例を示す図である。
【図５】図５は直交ダウンミキサの回路構成例を示す図である。
【図６】図６（Ａ）はイメージ除去受信装置の構成例、同図（Ｂ）〜（Ｃ）はシミュレーション結果の例を示す図である。
【図７】図７は直交アップミキサの構成例を示す図である。
【図８】図８はイメージ除去受信装置の構成例を示す図である。
【図９】図９はイメージ除去受信装置の他の構成例を示す図である。
【図１０】図１０（Ａ）及び同図（Ｂ）は、直交ダウンミキサの他の構成例を示す図である。
【符号の説明】
【０１１２】
１０，１０‐１，１０‐２  直交ダウンミキサ、  １１  等化回路、  １２，１２‐１，１２‐２，１４，１４‐１，１４‐２  ミキサ回路、  １６〜１８  可変抵抗器、  ２０直交アップミキサ、  ４０，５０，６０  直交復調器、  １００  誤差補正回路、  １１０，１３０  抵抗負荷増幅器、  ２００  イメージ除去受信装置
【図１】
0005104561.tif 000012
【図２】
0005104561.tif 000013
【図３】
0005104561.tif 000014
【図４】
0005104561.tif 000015
【図５】
0005104561.tif 000016
【図７】
0005104561.tif 000017
【図８】
0005104561.tif 000018
【図９】
0005104561.tif 000019
【図１０】
0005104561.tif 000020
【図６】
0005104561.tif 000021